(57)【要約】【課題】  本発明は、ゴーストの発生をより抑制することが可能なレンズ鏡筒及びこれを備えた撮像装置を提供することを目的とする。【解決手段】  レンズと、前記レンズを保持しながら前記レンズの光軸方向へ移動可能であって、前記レンズの径方向に伸びる係合部材を有するレンズ保持枠と、前記光軸方向に間隔を空けて並べられている複数の面と、前記係合部材が係合する係合溝を有する筒部材と、を備えるレンズ鏡筒であって、前記レンズの光軸方向視において、前記筒部材のうち、前記複数の面が設けられている領域と前記係合溝との間の部分を境界部とするとき、前記境界部は凹部あるいは凸部を有する、ことを特徴とするレンズ鏡筒。【選択図】  図４
2018045026.tif 000002
【特許請求の範囲】
【請求項１】
レンズと、
前記レンズを保持しながら前記レンズの光軸方向へ移動可能であって、前記レンズの径方向に伸びる係合部材を有するレンズ保持枠と、
前記光軸方向に間隔を空けて並べられている複数の面と、前記係合部材が係合する係合溝を有する筒部材と、
を備えるレンズ鏡筒であって、
前記レンズの光軸方向視において、前記筒部材のうち、前記複数の面が設けられている領域と前記係合溝との間の部分を境界部とするとき、前記境界部は凹部あるいは凸部を有する、
ことを特徴とするレンズ鏡筒。
【請求項２】
前記境界部は、前記光軸方向と平行な面として、前記光軸方向視において互いに異なる方向に傾斜している第１の斜面と第２の斜面とを有する、
ことを特徴とする請求項１に記載のレンズ鏡筒。
【請求項３】
前記光軸方向視において、前記第１の斜面の法線は前記レンズの光軸とは異なる位置を通る、
ことを特徴とする請求項２に記載のレンズ鏡筒。
【請求項４】
前記係合溝のうち前記係合部材が摺動する面を摺動面とするとき、
前記境界部は、前記光軸方向と平行な面として、前記第１の斜面及び前記第２の斜面が前記摺動面となす角度よりも大きい角度を前記摺動面となす第１の面を有する、
ことを特徴とする請求項１乃至３のいずれか一項に記載のレンズ鏡筒。
【請求項５】
前記光軸方向視において、前記第１の面は前記摺動面と直交する、
ことを特徴とする請求項３に記載のレンズ鏡筒。
【請求項６】
前記光軸方向視において、前記境界部が備える前記光軸方向と平行な面のうち、前記凹部あるいは前記凸部を構成する所定の面の法線が、前記係合溝の底部の法線となす角度は２０度以上である、
ことを特徴とする請求項１乃至５のいずれか一項に記載のレンズ鏡筒。
【請求項７】
前記係合溝のうち前記係合部材が摺動する面を摺動面とするとき、
前記境界部は、前記光軸方向視において、前記筒部材のうち、前記複数の面の最も前記摺動面側の点を通るとともに前記摺動面と平行な線と、前記摺動面を含む線との間の部分である、
ことを特徴とする請求項１乃至６のいずれか一項に記載のレンズ鏡筒。
【請求項８】
請求項１乃至７のいずれか一項に記載のレンズ鏡筒と、
前記レンズ鏡筒からの光を受光する撮像素子と、を備える、
ことを特徴とする撮像装置。
【発明の詳細な説明】
【技術分野】
【０００１】
本発明は、一眼レフカメラ等の撮像装置に搭載可能なレンズ鏡筒に関する。
【背景技術】
【０００２】
撮像装置に用いられるレンズ鏡筒では、撮影に必要な光束以外の外光がレンズ鏡筒の内壁などで反射されて撮像面に達することでゴーストが発生する場合がある。このようなゴーストの発生を抑制するためのレンズ鏡筒として特許文献１に記載のレンズ鏡筒が知られている。特許文献１は、レンズ鏡筒の内壁に、像面から見て光に照らされた面が見えないように各斜面の角度を設定して規則的に並べた凹凸構造のいわゆる遮光線（遮光溝）を設けた構造のレンズ鏡筒を開示している。
【先行技術文献】
【特許文献】
【０００３】
【特許文献１】特開平１１−６９４６号公報
【発明の概要】
【発明が解決しようとする課題】
【０００４】
ここで、特許文献１のレンズ鏡筒のように内壁に遮光線を設け、レンズ保持枠から光軸直交方向に伸びる係合部材と係合する係合溝をレンズ鏡筒の内壁に設けた構成を考える。このような構成の場合、レンズ保持枠を光軸方向へスムーズに移動させるためには、図１１に示すように、係合部材をガイドするための係合溝を設けるとともに、係合部材と係合溝との摺動面を平坦にすることが好ましい。つまり、遮光線が設けられている領域と係合溝との間の領域Ａに遮光線の無い領域を設けることが好ましい。
【０００５】
しかしながら、図１１に示す構成の場合には、レンズ鏡筒の内壁のうち領域Ａにある部分は凹部あるいは凸部を有さないために、撮影に必要な光束以外の外光が領域Ａで反射してゴーストが発生してしまうおそれがある。
【０００６】
そこで、本発明は、ゴーストの発生をより抑制することが可能なレンズ鏡筒及びこれを備えた撮像装置を提供することを目的とする。
【課題を解決するための手段】
【０００７】
上記目的を達成するために、本発明のレンズ鏡筒は、
レンズと、
前記レンズを保持しながら前記レンズの光軸方向へ移動可能であって、前記レンズの径方向に伸びる係合部材を有するレンズ保持枠と、
前記光軸方向に間隔を空けて並べられている複数の面と、前記係合部材が係合する係合溝を有する筒部材と、
を備えるレンズ鏡筒であって、
前記レンズの光軸方向視において、前記筒部材のうち、前記複数の面が設けられている領域と前記係合溝との間の部分を境界部とするとき、前記境界部は凹部あるいは凸部を有する、
ことを特徴とする。
【発明の効果】
【０００８】
本発明によれば、ゴーストの発生をより抑制することが可能なレンズ鏡筒及びこれを備えた撮像装置を提供することが可能である。
【図面の簡単な説明】
【０００９】
【図１】本発明を実施したズームレンズ鏡筒のワイド状態を示す断面図
【図２】図１のレンズ鏡筒のテレ状態を示す断面図
【図３】図２のレンズ鏡筒をＡ−Ａで切断した時の断面図
【図４】図３のＢ部拡大図
【図５】遮光線３ｅの拡大図
【図６】直進筒３の遮光線部を説明するための斜視図
【図７】図６のＥ部拡大図
【図８】第２実施例の遮光線を説明する断面図
【図９】第１変形例の構成を説明するための断面図
【図１０】第２変形例の構成を説明するための斜視図
【図１１】比較例の構成を説明するための断面図
【図１２】各実施例で示すレンズ鏡筒を備える撮像装置を説明するための図
【発明を実施するための形態】
【００１０】
以下に図面を参照して、この発明の好適な実施の形態を例示的に説明する。ただし、この実施の形態に記載されている構成部品の相対配置などは、この発明が適用される装置の構成や各種条件により適宜変更されるべきものである。すなわち、本発明は後述の実施の形態に限定されず、その要旨の範囲内で様々な変形及び変更が可能である。
【００１１】
〔第１実施例〕
（レンズ鏡筒の全体構成）
以下、図１から図７を参照して、本発明の第１実施例としてのレンズ鏡筒について説明する。図１、図２は本実施例としてのレンズ鏡筒の断面図で、図１はワイド状態、図２はテレ状態を示している。図３は図２のレンズ鏡筒をＡ−Ａで切断した時の断面図である。なお、図中Ｘ−Ｘで示す線は各レンズ群の中心を通る線であり、この線を光軸と称する。
【００１２】
１は固定筒を示しており、後端１ａは後述の図１２に記載のカメラ本体１３と結合するためのマウント部材などに固定される。２はズーミングを行うためのカム環を示し、内周が固定筒１に嵌合し、定位置回転可能に保持されている。３は直進筒（筒部材）を示し、先端に１群鏡筒４をコロ４ａによって保持している。１群鏡筒４には１群レンズＬ１が固定されている。
【００１３】
直進筒３は周方向に３つのコロ３ａをビス３ｂで保持し、固定筒１の外周に設けた直進溝１ｂに係合することで、光軸方向に直進移動自在に保持されている。同時にコロ３ａはカム環２に設けた１群カム２ａに係合し、カム環を回転させることで光軸方向に移動可能である。５は２群レンズＬ２を保持した２群鏡筒（レンズ保持枠）を示す。２群鏡筒５は外周に３つのコロ５ａをビス５ｂで保持し（図２参照）、コロ５ａはそれぞれ、固定筒１の直進溝１ｃとカム環２の２群カム２ｂに係合している。
【００１４】
６は３群レンズＬ３を保持した３群鏡筒を示している。３群鏡筒６は外周に３つのコロをビスで保持し（不図示）、コロはそれぞれ、固定筒１の直進溝とカム環２の３群カム溝に係合している。これによって、１群鏡筒４、２群鏡筒５、３群鏡筒６がカム環２を回転させることによって光軸方向に同時に移動する。
【００１５】
７は４群レンズＬ４を保持した４群鏡筒を示し、４群鏡筒７は、図示しないモータで駆動されフォーカス調整を行うものである。４群鏡筒とモータは３群鏡筒６に保持されており、ズーミングで３群鏡筒６と一体的に移動し、４群鏡筒７が単独で光軸方向に移動しフォーカス調整を行うよう構成されている。８はフィルター枠を示し、ビス８ａによって直進筒３に固定される。フィルター枠８は、１群鏡筒４を支えるコロ４ａが露出するのを防止すると共に、先端にネジ８ｂが設けられフィルターなどのアクセサリーが取り付けられる。
【００１６】
（ガイド部及び直進溝周辺の構成）
図２において、２群鏡筒５の先端には、２群レンズＬ２の径方向に伸びるガイド部５ｃ（係合部材）が３か所設けられている。ガイド部５ｃは、直進筒３の内周に設けられた直進溝３ｃに係合している。図３は図２のＡ−Ａで切断した時の断面図で、図４は図３のＢ部の拡大図である。
【００１７】
図４に示すように、ガイド部５ｃの端面５ｄが、直進溝３ｃの摺動面３ｄに移動自在に嵌合している。直進筒３は固定筒１とカム環２とに係合したコロ３ａによって位置が決定する構成になっているが、現実にはコロ３ａと１群カム溝２ａや直進溝１ｂのガタ、カム環２と固定筒１との嵌合ガタによって、直進筒３は倒れや偏心が生じる。そこで、直進筒３の直進溝３ｃと２群鏡筒のガイド部５ｃを嵌合させることで、直進筒３の倒れを抑えている。また、直進筒３の像面側をコロ３ａ、被写体側を２群鏡筒５のガイド部５ｃで支えることによって１群レンズＬ１の重量バランスによって直進筒３が倒れるのを防止できるものである。
【００１８】
直進筒３の内周には遮光線３ｅを設けている。遮光線３ｅは、光軸方向に規則的に間隔を空けて並べた斜面（複数の面）で構成されており、直進溝３ｃ以外の内周に配置されている。
【００１９】
（遮光線による効果）
図５は遮光線３ｅの拡大図である。図５に示すように、遮光線３ｅは被写体側から見える斜面３ｆと像面側から見える斜面３ｇの連続で構成されている。
【００２０】
図中Ｃで示す線は入射側の最大角度を示す線で、被写体側から入射する光線で斜面３ｆが照らされるのは線Ｃの上側だけ（図中Ｃ１で示す部分）になり、斜面３ｇ側に光が当たらない。なお、ここでいう入射側の最大角度を示す線とは、各群レンズを通る光線のうち最も光軸から離れた位置を通る光線のことをいう。
【００２１】
また、線Ｄは像面から見える範囲を示す線で、線Ｄの上側（図中Ｄ１で示す部分）が像面から見える範囲である。像面側から見えるのは斜面３ｇの一部であり、入射光で照らされる３ｆ面は見えないのがわかる。つまり、入射光で照らされる３ｆ面を二次光源として不要な光が像面に届かないようにしている。遮光線３ｅを配置した光軸方向の範囲は直進筒の内周円筒面によって入射光が正反射し、像側に届く範囲に限定している。なお、ここでいう線Ｄは後述の撮像素子１２に入射する光線のうち最も光軸から離れた位置に入射する光の軌跡である。
【００２２】
（本実施例による効果）
遮光線３ｅの配置された範囲に直進溝３ｃが配置されており、直進溝３ｃの両端面３ｄが２群鏡筒５のガイド部５ｃの摺動面になっている。直進溝３ｃは有底になっており底面にも遮光線３ｈが設けられている。遮光線３ｈは、遮光線３ｅ同様、底面で反射した入射光が像面に届くのを防止する役目で配置している。
【００２３】
遮光線３ｅと直進溝３ｃとの境界部において、遮光線３ｅを直進溝まで延長すると、摺動面３ｄに掛ってくるため、２群鏡筒のガイド部５ｃが常に摺動している径方向の長さ（ガイド部５ｃの掛り量）が少なくなってしまう。このため、単純に摺動部の面積を大きくしようとするとレンズ鏡筒の外径を大きくする必要がある。そこで、本実施例では、境界部に遮光線３ｅのない部分を設けて、摺動面３ｄの面積を十分に確保しつつレンズ鏡筒の大型化を抑制することも目的の一つとしている。
【００２４】
ここで、前述のように、遮光線のない部分を設けるとそこで反射した光がゴーストとなる危険性が生じる。そこで、本実施例では、境界部に光軸方向を向いていない斜面を配置することによってゴーストの発生を防止している。なお、ここでいう境界部とは、図４に示すように、２群レンズＬ２の光軸方向視において、直進筒３のうち遮光線３ｅが有する複数の面が設けられている領域と直進溝３ｃとの間の領域Ａの部分のことをいう。領域Ａはより詳細には、２群レンズＬ２の光軸方向視において、摺動面３ｄを通る線と、遮光線３ｅが有する複数の面が設けられている領域のうち最も摺動面側の点を通り摺動面３ｄと平行な線との間の領域のことをいう。
【００２５】
図４を用いて本実施例による効果について説明する。斜面３ｊは摺動面３ｄに沿って光軸方向に伸びている斜面である。その外側には連続した斜面３ｋがある。斜面３ｊおよび３ｋは、少なくとも遮光線３ｅを配置した範囲に配置されている。斜面３ｊ、３ｋは被写体側から入射する光によって照らされるが、その面は光軸中心を向いていないため、反射した光は像面から離れた方向に向かい、ゴーストの発生を抑制することができる。なお、ここでいう斜面３ｊ及び３ｋが光軸中心を向いていないとは、光軸方向視において斜面３ｊ及び３ｋの法線が光軸とは異なる位置を通ることをいう。
【００２６】
図６は直進筒３の遮光線部を説明するための斜視図である。図７は図６中Ｅ部の拡大図である。図６及び図７に示すように、斜面３ｊと３ｋは直進溝３ｃの両側で遮光線３ｅがある範囲全体に伸びていることによって、ゴーストの発生する範囲全体をカバーしている。
【００２７】
つまり、本実施例においては、前述の図１１で示す比較例とは異なり、境界部が凹部あるいは凸部を有することで、境界部で反射した光が撮像素子１２へ導かれにくくなるようにしている。これによって、本実施例は図１１に示す比較例と比較してゴーストの発生をより抑制することが可能となる。なお、ここでいう凸部とは図４に示すように、境界部のうち互いに異なる方向へ傾斜している斜面３ｊ（第１の斜面）及び斜面３ｋ（第２の斜面）とで構成されている断面が三角形形状の突起部のことをいう。
【００２８】
〔第２実施例〕
図８は本発明の第２実施例を示す図で、図４と同様に遮光線３ｄと直進溝３ｃの境界部の断面図である。図８に示すように、境界部が３つの斜面３ｍ、３ｎ、３ｐを有している。それぞれの斜面は直進溝３ｃに沿って光軸方向に伸びている。
【００２９】
斜面３ｍと３ｎによって外径側に凹になるような斜面とすることで、実施例１に比べて内径側に凸になる部分がないため、内側の鏡筒とのクリアランスが確保できる。また、３つの斜面とも光軸中心を向いていないため、前述の第１実施例と同様に反射光が像面に届くことを抑制してゴーストの発生を抑制できるものである。
【００３０】
以上説明してきたように、内周に遮光線を分断するような直進溝を配置した場合、境界部に光軸中心を向いていない面を設けることによって、直進溝の摺動の面積を十分に確保しつつ、ゴーストの発生を防止できるものである。
【００３１】
〔第３実施例〕
図１２を用いて本発明の第３実施例としての撮像装置１０の構造について説明する。図１２において１１は前述の第１実施例あるいは第２実施例として説明したレンズ鏡筒であり、１２はレンズ鏡筒１１からの光を受光する撮像素子であり、１３は撮像素子１２を保持するカメラ本体である。レンズ鏡筒１１はカメラ本体１３に対して着脱可能な交換レンズであっても着脱不可能な一体式のレンズ鏡筒であっても良い。図１２に示すように、本実施例によれば、ゴーストの発生をより抑制することが可能な撮像装置を提供することが可能となる。
【００３２】
（その他の実施形態）
以上、本発明の好ましい実施形態について説明したが、本発明はこれらの実施形態に限定されず、その要旨の範囲内で種々の変形及び変更が可能である。
【００３３】
例えば、前述の第１及び第２実施例においては図４等に示すように境界部に凹部あるいは凸部を有する構成を例示したが、境界部全体が凹部あるいは凸部である必要はない。つまり、境界部の少なくとも位置に凹部あるいは凸部が設けられていれば良く、例えば図９に示すように、境界部の一部３ｓが直進溝の底部と平行になっていてもよい。ここでいう直進溝の底部と平行とは、直進溝の底部が曲面である場合には、直進溝の底部の中心をとおる接線と平行であることをいう。つまり、図９に示す変形例では、境界部が、第１の斜面及び第２の斜面以外に光軸方向に平行な面として、第１の斜面及び第２の斜面が摺動面となす角度よりも大きい角度を摺動面となす第１の面３ｓを備えている。第１の面３ｓは、摺動面と直交する面であってもよい。
【００３４】
また、前述の境界部が凹部あるいは凸部を有している、とは以下のように言い換えることもできる。すなわち、境界部が有する凹部あるいは凸部を構成する所定の面（任意の面）の法線が係合溝の底部の法線となす角度が２０度以上である、と言い換えることもできる。
【００３５】
また、前述の第１及び第２実施例においては図６等に示すように、直進溝３ｃの底部にも遮光線が設けられている構成を例示したが、本発明はこのような構成に限定されるものではない。ゴーストの発生をより抑制することが可能であれば、例えば図１０に示すように直進溝の底部に遮光線が無い構成であってもよい。
【００３６】
また、前述の第１及び第２実施例では、直進筒と２群鏡筒の移動鏡筒の間での係合部に関して遮光線を設けたが、本発明はこのような構成に限定されるものではない。例えば、固定筒から係合部を外周に延ばし、そこに直進筒内径の直進溝３ｃを係合させても良く、固定部と移動鏡筒の間に遮光線がある場合でも同様の効果を奏する。
【００３７】
また、前述の第１及び第２実施例では遮光線を分断するのが、光軸方向に伸びる直進溝であるが、直進筒と相対回転する部品間でも良く、その場合遮光線を分断するのはリードを持った溝でも、非直線のカム溝でも良い。さらに、実施例は有底の直進溝であるが、貫通した溝でも構わない。
【００３８】
また、前述の第１及び第２実施例においては境界部が凹部あるいは凸部を有する構成を例示したが、ここでいう凹部あるいは凸部は前述の各斜面で構成される断面が三角形上の突起部等だけを示すものではない。例えば、境界部が凹部あるいは凸部として光軸が位置する方向へ凸あるいは凹の曲面部を有していても良い。
【符号の説明】
【００３９】
１  固定筒
２  カム環
３  直進筒（筒部材）
３ｃ  直進溝（係合溝）
３ｄ  摺動面
３ｅ  遮光線
３ｈ  遮光線
３ｊ、３ｋ、３ｍ、３ｎ、３ｐ  斜面
４  １群鏡筒
５  ２群鏡筒（レンズ保持枠）
５ｃ  ガイド部（係合部材）
５ｄ  端面
６  ３群鏡筒
７  ４群鏡筒
８  フィルター枠
【図１】
2018045026.tif 000003
【図２】
2018045026.tif 000004
【図３】
2018045026.tif 000005
【図４】
2018045026.tif 000006
【図５】
2018045026.tif 000007
【図６】
2018045026.tif 000008
【図７】
2018045026.tif 000009
【図８】
2018045026.tif 000010
【図９】
2018045026.tif 000011
【図１０】
2018045026.tif 000012
【図１１】
2018045026.tif 000013
【図１２】
2018045026.tif 000014